【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
印刷ジョブを画像形成装置に送信する情報処理装置であって、
印刷ジョブのアクセス制御情報を検知する検知手段と、
前記検知手段により検知された前記アクセス制御情報が正当であるか否かを判断する判断手段と、
前記判断手段により正当であると判断された前記アクセス制御情報の削除処理を行う削除処理手段と、
前記アクセス制御情報を削除した印刷ジョブの画像形成装置への送信を行う送信手段とを有し、
前記送信手段は、前記判断手段により前記アクセス制御情報が正当でないと判断された場合、或いは、前記アクセス制御情報が前記検知手段により検知されなかった場合、印刷ジョブの画像形成装置への送信を抑制することを特徴とする情報処理装置。
【請求項２】
前記アクセス制御情報が正当でないと判断された印刷ジョブ、又は、前記アクセス制御情報が検知されなかった印刷ジョブの履歴を記録する記録手段を有し、
前記送信手段は、前記記録手段により前記履歴を記録することにより印刷ジョブの画像形成装置への送信を行うことを特徴とする請求項１に記載の情報処理装置。
【請求項３】
前記画像形成装置には前記情報処理装置とは他の装置からのデータ入力を拒否する設定がなされていることを特徴とする請求項１乃至２の何れか１項に記載の情報処理装置。
【請求項４】
前記送信手段は、前記アクセス制御情報の送信を抑制すべく、識別されたアクセス制御情報を記憶部に退避することを特徴とする請求項１乃至３の何れか１項に記載の情報処理装置。
【請求項５】
前記削除処理手段は、印刷ジョブの送信先が前記アクセス制御情報を解釈可能な場合には前記印刷ジョブのアクセス制御情報を削除することなく送信を行うことを特徴とする請求項１乃至４の何れか１項に記載の情報処理装置。
【請求項６】
前記正当であるとは、前記アクセス制御情報に含まれる期限情報が期限以内であること、又は、前記アクセス制御情報に含まれるアクセス制御情報の発行元を示すデジタル署名を識別することであることを特徴とする請求項１乃至５の何れか１項に記載の情報処理装置。
【請求項７】
前記削除処理手段は画像形成装置に前記アクセス制御情報を破棄させるよう処理を行うことを特徴とする請求項１乃至６の何れか１項に記載の情報処理装置。
【請求項８】
請求項１乃至７の何れか１項に記載の情報処理装置と管理装置とからなる印刷システムであって、
前記管理装置は、
前記アクセス制御情報を解釈不可能な画像形成装置を探索する探索手段と、
前記探索手段により探索された画像形成装置を前記情報処理装置の印刷ジョブ出力先として設定する設定手段と、
前記情報処理装置を印刷ジョブの送信先とするプリンタドライバのセットアッププログラムをクライアントコンピュータに配布する配布手段とを有することを特徴とする印刷システム。
【請求項９】
クライアントコンピュータと通信可能な認証サーバと、クライアントコンピュータからの印刷ジョブを受信するジョブ制御サーバと、前記ジョブ制御サーバからの印刷ジョブを受信し印刷出力する画像形成装置とを含む印刷システムであって、
前記認証サーバは、
クライアントコンピュータからの印刷ジョブの実行許可を示すアクセス制御情報の要求を受ける要求受信手段と、
前記受けた要求を認証しアクセス制御情報を前記クライアントコンピュータに発行する発行手段とを有し、
前記ジョブ制御サーバは、
前記クライアントコンピュータから送信される前記アクセス制御情報が付加された印刷ジョブを入力する入力手段と、
前記入力された印刷ジョブからアクセス制御情報を検知する検知手段と、
前記検知手段により検知された前記アクセス制御情報が正当であるか否かを判断する判断手段と、
前記検知手段により検知され、前記判断手段により正当であると判断された前記アクセス制御情報の削除処理を行う削除処理手段と、
前記アクセス制御情報の削除が施された印刷ジョブの前記画像形成装置への送信を行う送信手段とを有し、前記送信手段は、前記判断手段により前記アクセス制御情報が正当でないと判断された場合、或いは、前記アクセス制御情報が前記検知手段により検知されなかった場合、印刷ジョブの画像形成装置への送信を抑制し、
前記画像形成装置は、
前記送信手段により送信された印刷ジョブを受信し、該受信した印刷ジョブに基づく印刷出力を行う印刷出力手段を有することを特徴とする印刷システム。
【請求項１０】
印刷ジョブを画像形成装置に送信するコンピュータに実行させるプログラムであって、
前記コンピュータに、
印刷ジョブのアクセス制御情報を検知する検知工程と、
前記検知工程において検知された前記アクセス制御情報が正当であるか否かを判断する判断工程と、
前記判断工程において正当であると判断された前記アクセス制御情報の削除処理を行う削除処理工程と、
前記アクセス制御情報を削除した印刷ジョブの画像形成装置への送信を行う送信工程とを実行させ、
前記送信工程は、前記判断工程により前記アクセス制御情報が正当でないと判断された場合、或いは、前記アクセス制御情報が前記検知工程により検知されなかった場合、印刷ジョブの画像形成装置への送信を抑制することを特徴とするプログラム。
【請求項１１】
前記アクセス制御情報が正当でないと判断された印刷ジョブ、又は、前記アクセス制御情報が検知されなかった印刷ジョブの履歴を記録する記録工程を有し、
前記送信工程は、前記記録工程において前記履歴を記録することにより印刷ジョブの画像形成装置への送信を行うことを特徴とする請求項１０に記載のプログラム。
【請求項１２】
前記画像形成装置には前記送信工程を実行する情報処理装置とは他の装置からのデータ入力を拒否する設定がなされていることを特徴とする請求項１０乃至１１の何れか１項に記載のプログラム。
【請求項１３】
前記送信工程は、前記アクセス制御情報の送信を抑制すべく、識別されたアクセス制御情報を記憶部に退避することを特徴とする請求項１０乃至１２の何れか１項に記載のプログラム。
【請求項１４】
前記削除処理工程は、印刷ジョブの送信先が前記アクセス制御情報を解釈可能な場合には前記印刷ジョブのアクセス制御情報を削除することなく送信を行うことを特徴とする請求項１０乃至１３の何れか１項に記載のプログラム。
【請求項１５】
前記正当であるとは、前記アクセス制御情報に含まれる期限情報が期限以内である、又は、前記アクセス制御情報に含まれるアクセス制御情報の発行元を示すデジタル署名を識別することであることを特徴とする請求項１０乃至１４の何れか１項に記載のプログラム。
【請求項１６】
前記削除処理工程は画像形成装置に前記アクセス制御情報を破棄させるよう前記アクセス制御情報を加工することを特徴とする請求項１０乃至１５の何れか１項に記載のプログラム。
【請求項１７】
更に、前記コンピュータに、
前記アクセス制御情報を解釈不可能な画像形成装置を探索する探索工程と、
前記探索工程において探索された画像形成装置を前記コンピュータの印刷ジョブ出力先として設定する設定工程と、
前記情報処理装置を印刷ジョブの送信先とするプリンタドライバのセットアッププログラムをクライアントコンピュータに配布する配布工程とを実行させることを特徴とする請求項１０乃至１６の何れか１項に記載のプログラム。
【請求項１８】
印刷ジョブを画像形成装置に送信する情報処理装置におけるジョブ処理方法であって、
印刷ジョブのアクセス制御情報を検知する検知工程と、前記検知工程において検知された前記アクセス制御情報が正当であるか否かを判断する判断工程と、
前記判断工程において正当であると判断された前記アクセス制御情報の削除処理を行う削除処理工程と、
前記アクセス制御情報を削除した印刷ジョブの画像形成装置への送信を行う送信工程とを有し、
前記送信工程は、前記判断工程により前記アクセス制御情報が正当でないと判断された場合、或いは、前記アクセス制御情報が前記検知工程により検知されなかった場合、印刷ジョブの画像形成装置への送信を抑制することを特徴とするジョブ処理方法。
【請求項１９】
印刷システムにおけるジョブ処理方法であって、
印刷ジョブの実行許可を示すアクセス制御情報の要求を認証しアクセス制御情報を発行する発行工程と、
前記アクセス制御情報が付加された印刷ジョブを入力する入力工程と、
前記入力された印刷ジョブからアクセス制御情報を検知する検知工程と、
前記検知工程において検知された前記アクセス制御情報が正当であるか否かを判断する判断工程と、
前記判断工程により正当であると判断された場合、前記アクセス制御情報の削除処理を行う削除処理工程と、
前記アクセス制御情報の削除が施された印刷ジョブを画像形成装置への送信を行う送信工程と、
前記送信工程において送信された印刷ジョブに基づく印刷出力を行う印刷出力工程を有し、
前記送信工程は、前記判断工程により前記アクセス制御情報が正当でないと判断された場合、或いは、前記アクセス制御情報が前記検知工程により検知されなかった場合、印刷ジョブの画像形成装置への送信を抑制することを特徴とするジョブ処理方法。
【手続補正２】
【補正対象書類名】明細書
【補正対象項目名】０００８
【補正方法】変更
【補正の内容】
【０００８】
印刷ジョブを画像形成装置に送信する情報処理装置であって、印刷ジョブのアクセス制御情報を検知する検知手段と、前記検知手段により検知された前記アクセス制御情報が正当であるか否かを判断する判断手段と、
前記判断手段により正当であると判断された前記アクセス制御情報の削除処理を行う削除処理手段と、前記アクセス制御情報を削除した印刷ジョブの画像形成装置への送信を行う送信手段とを有し、前記送信手段は、前記判断手段により前記アクセス制御情報が正当でないと判断された場合、或いは、前記アクセス制御情報が前記検知手段により検知されなかった場合、印刷ジョブの画像形成装置への送信を抑制することを特徴とする。